【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
各々が対応する当初の値を持つ画素の一群を有するデジタル画像を受信するステップと；
各画素を近傍画素に囲まれた重心画素として処理するステップと；
複数の重心画素のそれぞれについて、以下の動作：
・最小得点及び最大得点の少なくとも一方を決定すること、
・差分ペアと差分ペアの差とを決定すること、及び
・主ベクトルセットとベクトル得点とを決定すること
のうち少なくとも２つを実行するステップと；
その所与の重心画素について実行された決定と調整関数とに基づいて、各所与の重心画素の前記当初の値とその近傍画素の少なくとも１つの前記当初の値との差を増加させるために前記複数の重心画素のそれぞれについて調整済みの重心画素値を生成するステップと；
前記調整済みの重心画素値のすべてに基づいて組み合わされた調整済みのデジタル画像を生成するステップと；
前記組み合わされた調整済みのデジタル画像を出力するステップと；
を備えた、マシンにより実施される方法において、
前記受信するステップ、前記処理するステップ、前記実行するステップ、前記生成するステップ、及び前記出力するステップは、１つ以上のマシンにより実施される、方法。
【請求項２】
各々が対応する当初の値を持つ画素の一群を有するデジタル画像を受信するステップと；
各画素を近傍画素に囲まれた重心画素として処理するステップと；
以下の動作のうち少なくとも２つによる複数の重心画素のそれぞれを得点化するステップと；
・最小得点及び最大得点の少なくとも一方を決定すること、
・差分ペアと差分ペアの差とを決定すること、及び
・主ベクトルセットとベクトル得点とを決定すること、
第１の調整済の値、第２の調整済の値、及び第３の調整済の値から構成される一群から選択される少なくとも２つを組み合わせて、組み合わされた調整済みのデジタル画像を生成するステップであって、
前記最小値及び最大値の決定からの得点と第１調整関数とに基づいて、各所与の重心画素の前記当初の値とその近傍最小値画素又は近傍最大値画素の少なくとも２つの前記当初の値との差を増加させるために前記第１の調整済の値は、前記複数の重心画素のそれぞれについて生成され、
前記差分ペアの決定からの得点と第２調整関数とに基づいて、各所与の重心画素の前記当初の値と少なくとも近傍差分ペア画素の前記当初の値との差を増加させるために前記第２の調整済の値は、前記差分ペア画素のそれぞれについて生成され、
前記ベクトルの決定からの得点と第３調整関数とに基づいて、各所与の重心画素の前記当初の値とその近傍主ベクトル画素セットの前記当初の値との差を増加させるために前記第３の調整済の値は、前記複数の重心画素のそれぞれについて生成される、組み合わせるステップと；
前記組み合わされた調整済みのデジタル画像を出力するステップと；
を備えた、マシンにより実施される方法において、
前記受信するステップ、前記処理するステップ、前記得点化するステップ、前記組み合わせるステップ、及び前記出力するステップは、１つ以上のマシンにより実施される、方法。
【請求項３】
各重心画素の前記最小得点は、近傍画素非隣接ペアの前記当初の値を検査するとともに、所与の非隣接ペアの各画素の値が前記各重心画素の前記当初の値よりも少なくともゼロ以上の閾値だけ大きいペアの数を数えることにより決定される、請求項１又は２に記載の方法。
【請求項４】
各重心画素の前記最大得点は、近傍画素非隣接ペアの前記当初の値を検査するとともに、所与の非隣接ペアの各画素の値が前記各重心画素の前記当初の値よりも少なくともゼロ以上の閾値だけ小さいペアの数を数えることにより決定される、請求項１又は２に記載の方法。
【請求項５】
各々がその重心画素に関連する多数の近傍画素を通る方向に延びその重心画素で終結する複数の画素ベクトル線分（ベクトル）を各重心画素と関連付けるステップと；
特定の重心画素に関連する画素ベクトルのベクトル得点を、
・前記ベクトル中の画素の値の平均と、
・各画素の重み付けが、
前記重心画素からの前記画素の距離の関数と、
前記ベクトルの前記画素を横断する部分の長さの関数と、
前記ベクトルの前記画素を横断する部分の面積の関数と、
からなるグループから選択された少なくとも１つである、前記ベクトルが横断する前記画素の値の加重平均と、
からなるグループから選択された少なくとも１つを計算することにより決定するステップと；
前記重心画素の値を関連するベクトルの得点と比較するステップと；
前記重心画素の値を、
・前記重心画素と最も差のある得点を有する主ベクトルの得点と、
・他のいずれかのベクトルの得点と、
・ベクトル得点の任意の組み合わせと、
からなるグループから選択された少なくとも１つに基づいて調整するステップと；
をさらに備えた、請求項１又は２に記載の方法。
【請求項６】
任意の所与の重心画素に関連付けられたベクトルは、以下のものからなるグループから選択された少なくとも１つに基づいて選択される、請求項１又は２に記載の方法。：
・８つの主要なコンパスポイント方向に限定される；
・合計で８つであり、等しい角度間隔を置いているが、前記コンパスポイント方向に限定されない；
・８以外の数であり、等しい角度間隔を置いている；
・任意の数であり任意の角度間隔である；
・画素単位ですべて同一の長さである；
・幾何学的にすべて同一の長さである；
・画素単位で２つ以上の異なる長さである；
・幾何学的に定義された２つ以上の異なる長さである；
・固定幅又は幅なしである；及び
・可変幅であり、前記幅は前記重心画素からの距離の関数である。
【請求項７】
前記最小得点を決定すること、前記最大得点を決定すること、前記差分ペア得点を決定すること、及び前記ベクトル得点を決定することのうち少なくとも１つは、近傍画素のギャップ飛び越しと画素のダウンサンプリングとからなるグループから選択された少なくとも１つを備える、請求項１又は２に記載の方法。
【請求項８】
前記デジタル画像は、グレースケール画像、カラー画像、３次元画像、動画、又は３次元動画からなる、請求項１又は２に記載の方法。
【請求項９】
前記重心画素値は画素値の残りの範囲の割合によって調整される、請求項１又は２に記載の方法。
【請求項１０】
二次画像と、混合二次画像と、補助得点画像とからなるグループから選択された少なくとも１つを出力するステップをさらに備えた、請求項１又は２に記載の方法。
【請求項１１】
各々が対応する当初の値を持つ画素の一群を有するデジタル画像を受信するよう構成された受信モジュールと；
各画素を近傍画素に囲まれた重心画素として処理し、複数の重心画素のそれぞれについて、以下の動作：
・最小得点及び最大得点の少なくとも一方を決定すること、
・差分ペアと差分ペアの差とを決定すること、及び
・主ベクトルセットとベクトル得点とを決定すること
のうち少なくとも２つを実行するよう構成された得点生成モジュールと；
その所与の重心画素について実行された決定と調整関数とに基づいて、各所与の重心画素の前記当初の値とその近傍画素の少なくとも１つの前記当初の値との差を増加させるために前記複数の重心画素のそれぞれについて調整済みの重心画素値を生成するように構成された生成モジュールと；
前記調整済みの重心画素のすべてに基づいて組み合わされた調整済みのデジタル画像を生成するよう構成された画像生成モジュールと；
前記組み合わされた調整済みのデジタル画像を出力するよう構成された出力モジュールと；
を備えた、マシンにより実施される画像処理システム。
【請求項１２】
各々が対応する当初の値を持つ画素の一群を有するデジタル画像を受信するように構成された受信モジュールと；
各画素を近傍画素に囲まれた重心画素として処理するように構成され、以下の動作のうち少なくとも２つによる複数の重心画素のそれぞれを得点化するように構成された得点生成モジュールと；
・最小得点及び最大得点の少なくとも一方を決定すること、
・差分ペアと差分ペアの差とを決定すること、及び
・主ベクトルセットとベクトル得点とを決定すること、
第１の調整済の値、第２の調整済の値、及び第３の調整済の値から構成される一群から選択される少なくとも２つを組み合わせることによって組み合わされた調整済みのデジタル画像を生成するように構成されたモジュールであって、
前記最小値及び最大値の決定からの得点と第１調整関数とに基づいて、各所与の重心画素の前記当初の値とその近傍最小値画素又は近傍最大値画素の少なくとも２つの前記当初の値との差を増加させるために前記第１の調整済の値は、前記複数の重心画素のそれぞれについて生成され、
前記差分ペアの決定からの得点と第２調整関数とに基づいて、各所与の重心画素の前記当初の値と少なくとも近傍差分ペア画素の前記当初の値との差を増加させるために前記第２の調整済の値は、前記差分ペア画素のそれぞれについて生成され、
前記ベクトルの決定からの得点と第３調整関数とに基づいて、各所与の重心画素の前記当初の値とその近傍主ベクトル画素セットの前記当初の値との差を増加させるために前記第３の調整済の値は、前記複数の重心画素のそれぞれについて生成される、モジュールと；
前記組み合わされた調整済みのデジタル画像を出力するように構成された出力モジュールと；
を備えた、マシンにより実施される画像処理システム。
【請求項１３】
前記得点生成モジュールはさらに、近傍画素非隣接ペアの当初の値を検査するとともに、所与の非隣接ペアの各画素の値が前記各重心画素の当初の値よりも少なくともゼロ以上の閾値だけ大きいペアの数を数えることにより、各重心画素の前記最小得点を決定するよう構成されている、請求項１１又は１２に記載のシステム。
【請求項１４】
前記得点生成モジュールはさらに、近傍画素非隣接ペアの値を検査するとともに、所与の非隣接ペアの各画素の値が前記各重心画素の値よりも少なくともゼロ以上の閾値だけ小さいペアの数を数えることにより、各重心画素の前記最大得点を決定するよう構成されている、請求項１１又は１２に記載のシステム。
【請求項１５】
前記得点生成モジュールはさらに、
各々がその重心画素に関連する多数の近傍画素を通る方向に延びその重心画素で終結する複数の画素ベクトル線分（ベクトル）を各重心画素と関連付け；
特定の重心に関連する画素ベクトルのベクトル得点を、
・前記ベクトル中の画素の値の平均と、
・各画素の重み付けが、
前記重心画素からの前記画素の距離の関数と、
前記ベクトルの前記画素を横断する部分の長さの関数と、
前記ベクトルの前記画素を横断する部分の面積の関数と、
からなるグループから選択された少なくとも１つである、前記ベクトルが横断する前記画素の値の加重平均と、
からなるグループから選択された少なくとも１つを計算することにより決定し；
前記重心画素の値を関連するベクトルの得点と比較し；
前記重心画素の値を、
・前記重心画素と最も差のある得点を有する主ベクトルの得点と、
・他のいずれかのベクトルの得点と、
・ベクトル得点の任意の組み合わせと、
からなるグループから選択された少なくとも１つに基づいて調整するよう構成されている、請求項１１又は１２に記載のシステム。
【請求項１６】
前記得点生成モジュールはさらに、任意の所与の重心画素に関連付けられたベクトルを、以下のものからなるグループから選択された少なくとも１つに基づいて選択するよう構成されている、請求項１１又は１２に記載のシステム。：
・８つの主要なコンパスポイント方向に限定される；
・合計で８つであり、等しい角度間隔を置いているが、前記コンパスポイント方向に限定されない；
・８以外の数であり、等しい角度間隔を置いている；
・任意の数であり任意の角度間隔である；
・画素単位ですべて同一の長さである；
・幾何学的にすべて同一の長さである；
・画素単位で２つ以上の異なる長さである；
・幾何学的に定義された２つ以上の異なる長さである；
・固定幅又は幅なしである；及び
・可変幅であり、前記幅は前記重心画素からの距離の関数である。
【請求項１７】
前記得点生成モジュールはさらに、近傍画素のギャップ飛び越しと画素のダウンサンプリングとからなるグループから選択された少なくとも１つを実行することにより、最小得点、最大得点、差分ペア得点、及びベクトル得点を決定するよう構成されている、請求項１１又は１２に記載のシステム。
【請求項１８】
前記デジタル画像は、グレースケール画像、カラー画像、３次元画像、動画、及び３次元動画からなるグループから選択された少なくとも１つである、請求項１１又は１２に記載のシステム。
【請求項１９】
前記調整モジュールは、画素値の残りの範囲の割合によって重心画素値を調整するよう構成されている、請求項１１又は１２に記載のシステム。
【請求項２０】
前記システムはさらに、二次画像と、混合二次画像と、補助得点画像とからなるグループから選択された少なくとも１つを出力するよう構成されている、請求項１１又は１２に記載のシステム。
【請求項２１】
プログラム命令を記憶している非一時的なコンピュータ可読記憶媒体であって、プロセッサにより実行されたとき、前記プロセッサに、
各々が対応する当初の値を持つ画素の一群を有するデジタル画像を受信させ；
各画素を近傍画素に囲まれた重心画素として処理させ；
複数の重心画素のそれぞれについて、以下の動作：
・最小得点及び最大得点の少なくとも一方を決定すること、
・差分ペアと差分ペアの差とを決定すること、及び
・主ベクトルセットとベクトル得点とを決定すること
のうち少なくとも２つを実行させ；
その所与の重心画素について実行された決定と調整関数とに基づいて、各所与の重心画素の前記当初の値とその近傍画素の少なくとも１つの前記当初の値との差を増加させるために前記複数の重心画素のそれぞれについて調整済みの重心画素値を生成させ；
前記調整済みの重心画素値のすべてに基づいて組み合わされた調整済みのデジタル画像を生成させ；
前記組み合わされた調整済みのデジタル画像を出力させる、コンピュータ可読記憶媒体。
【請求項２２】
各々が対応する当初の値を持つ画素の一群を有するデジタル画像を受信させ；
各画素を近傍画素に囲まれた重心画素として処理させ；
以下の動作のうち少なくとも２つによる複数の重心画素のそれぞれを得点化させ；
・最小得点及び最大得点の少なくとも一方を決定すること、
・差分ペアと差分ペアの差とを決定すること、及び
・主ベクトルセットとベクトル得点とを決定すること、
第１の調整済の値、第２の調整済の値、及び第３の調整済の値から構成される一群から選択される少なくとも２つを組み合わせて、組み合わされた調整済みのデジタル画像を生成させ；
前記最小値及び最大値の決定からの得点と第１調整関数とに基づいて、各所与の重心画素の前記当初の値とその近傍最小値画素又は近傍最大値画素の少なくとも２つの前記当初の値との差を増加させるために前記第１の調整済の値は、前記複数の重心画素のそれぞれについて生成され、
前記差分ペアの決定からの得点と第２調整関数とに基づいて、各所与の重心画素の前記当初の値と少なくとも近傍差分ペア画素の前記当初の値との差を増加させるために前記第２の調整済の値は、前記差分ペア画素のそれぞれについて生成され、
前記ベクトルの決定からの得点と第３調整関数とに基づいて、各所与の重心画素の前記当初の値とその近傍主ベクトル画素セットの前記当初の値との差を増加させるために前記第３の調整済の値は、前記複数の重心画素のそれぞれについて生成され、
前記組み合わされた調整済みのデジタル画像を出力させる、コンピュータ可読記憶媒体。
【請求項２３】
前記プログラム命令は、近傍画素非隣接ペアの値を検査するとともに、所与の非隣接ペアの各画素の値が前記各重心画素の値よりも少なくともゼロ以上の閾値だけ大きいペアの数を数えることにより、前記プロセッサに、各重心画素の最小得点を決定させる、コンピュータ可読コードをさらに備えている、請求項２１又は２２に記載のコンピュータ可読記憶媒体。
【請求項２４】
前記プログラム命令は、近傍画素非隣接ペアの当初の値を検査するとともに、所与の非隣接ペアの各画素の値が前記各重心画素の値よりも少なくともゼロ以上の閾値だけ小さいペアの数を数えることにより、前記プロセッサに、各重心画素の最大得点を決定させる、コンピュータ可読コードをさらに備えている、請求項２１又は２２に記載のコンピュータ可読記憶媒体。
【請求項２５】
前記プログラム命令は、前記プロセッサに、
各々がその重心画素に関連する多数の近傍画素を通る方向に延びその重心画素で終結する複数の画素ベクトル線分（ベクトル）を各重心画素と関連付けさせ；
特定の重心に関連する画素ベクトルのベクトル得点を、
・前記ベクトル中の画素の値の平均と、
・各画素の重み付けが、
前記重心画素からの前記画素の距離の関数と、
前記ベクトルの前記画素を横断する部分の長さの関数と、
前記ベクトルの前記画素を横断する部分の面積の関数と、
からなるグループから選択された少なくとも１つである、前記ベクトルが横断する前記画素の値の加重平均と、
からなるグループから選択された少なくとも１つを計算することにより決定させ；
前記重心画素の値を関連するベクトルの得点と比較させ；
前記重心画素の値を、
・前記重心画素と最も差のある得点を有する主ベクトルの得点と、
・他のいずれかのベクトルの得点と、
・ベクトル得点の任意の組み合わせと、
からなるグループから選択された少なくとも１つに基づいて調整させる、コンピュータ可読コードをさらに備えている、請求項２１又は２２に記載のコンピュータ可読記憶媒体。
【請求項２６】
前記プログラム命令は、前記プロセッサに、任意の所与の重心画素に関連付けられたベクトルを、以下のものからなるグループから選択された少なくとも１つに基づいて選択させる、コンピュータ可読コードをさらに備えている、請求項２１又は２２に記載のコンピュータ可読記憶媒体。：
・８つの主要なコンパスポイント方向に限定される；
・合計で８つであり、等しい角度間隔を置いているが、前記コンパスポイント方向に限定されない；
・８以外の数であり、等しい角度間隔を置いている；
・任意の数であり任意の角度間隔である；
・画素単位ですべて同一の長さである；
・幾何学的にすべて同一の長さである；
・画素単位で２つ以上の異なる長さである；
・幾何学的に定義された２つ以上の異なる長さである；
・固定幅又は幅なしである；及び
・可変幅であり、前記幅は前記重心画素からの距離の関数である。
【請求項２７】
前記プロセッサに最小得点、最大得点、差分ペア得点、及びベクトル得点を決定させるコンピュータ可読コードを備えた前記プログラム命令は、前記プロセッサに近傍画素のギャップ飛び越しと画素のダウンサンプリングとからなるグループから選択された少なくとも１つを実行させるコンピュータ可読コードをさらに備えている、請求項２１又は２２に記載のコンピュータ可読記憶媒体。
【請求項２８】
前記デジタル画像は、グレースケール画像、カラー画像、３次元画像、動画、及び３次元動画からなるグループから選択された少なくとも１つである、請求項２１又は２２に記載のコンピュータ可読記憶媒体。
【請求項２９】
前記プログラム命令は、前記プロセッサに画素値の残りの範囲の割合によって重心画素値を調整させるコンピュータ可読コードをさらに備えている、請求項２１又は２２に記載のコンピュータ可読記憶媒体。
【請求項３０】
前記プログラム命令は、前記プロセッサに二次画像と、混合二次画像と、補助得点画像とからなるグループから選択された少なくとも１つを出力させるコンピュータ可読コードをさらに備えている、請求項２１又は２２に記載のコンピュータ可読記憶媒体。
【請求項３１】
各々が対応する当初の値を持つ画素の一群を有するデジタル画像を受信するステップと；
各画素を近傍画素に囲まれた重心画素として処理するステップと；
各重心画素の主ベクトル画素セットとベクトル得点とを決定するステップと；
所与の重心画素について対応するベクトル得点と調整関数とに基づいて、各所与の重心画素の当初の値と前記主ベクトル画素セットの平均値との差を増加させるために調整済みの重心画素値を生成するステップと；
前記調整済みの重心画素値のすべてに基づいて調整済みのデジタル画像を生成するステップと；
前記調整済みのデジタル画像を出力するステップと；
を備えた、マシンにより実施される方法において、
前記受信するステップ、前記処理するステップ、前記生成するステップ、及び前記出力するステップは、１つ以上のマシンにより実施される、方法。
【請求項３２】
各々がその重心画素に関連する多数の近傍画素を通る方向に延びその重心画素で終結する複数の画素ベクトル線分（ベクトル）を各重心画素と関連付けるステップと；
特定の重心画素に関連する画素ベクトルのベクトル得点を、
・前記ベクトル中の画素の当初の値の平均と、
・各画素の重み付けが、
前記重心画素からの前記画素の距離の関数と、
前記画素を横断する前記ベクトルの部分の長さの関数と、
前記画素を横断する前記ベクトルの部分の面積の関数と、
からなるグループから選択された少なくとも１つである、前記ベクトルが横断する前記画素の当初の値の加重平均と、
からなるグループから選択された少なくとも１つを計算することにより決定するステップと；
前記重心画素の当初の値を関連するベクトルの得点と比較するステップと；
前記重心画素の当初の値を、
・前記重心画素と最も差のある得点を有する主ベクトルの得点と、
・他のいずれかのベクトルの得点と、
・ベクトル得点の任意の組み合わせと、
からなるグループから選択された少なくとも１つに基づいて調整するステップと；
をさらに備えた、請求項３１に記載の方法。
【請求項３３】
前記ベクトル得点を決定するために、以下のものからなるグループから選択された少なくとも１つに基づいて、任意の所与の重心画素に関連付けられたベクトルを選択する、請求項３１に記載の方法。：
・８つの主要なコンパスポイント方向に限定される；
・合計で８つであり、等しい角度間隔を置いているが、前記コンパスポイント方向に限定されない；
・８以外の数であり、等しい角度間隔を置いている；
・任意の数であり任意の角度間隔である；
・画素単位ですべて同一の長さである；
・幾何学的にすべて同一の長さである；
・画素単位で２つ以上の異なる長さである；
・幾何学的に定義された２つ以上の異なる長さである；
・固定幅又は幅なしである；及び
・可変幅であり、前記幅は前記重心画素からの距離の関数である。
【請求項３４】
各々が対応する当初の値を持つ画素の一群を有するデジタル画像を受信するよう構成された受信モジュールと；
各画素を近傍画素に囲まれた重心画素として処理し、各重心画素について主ベクトル画素セットとベクトル得点とを決定するよう構成された得点生成モジュールと；
所与の重心画素について対応するベクトル得点と調整関数とに基づいて、各所与の重心画素の当初の値と前記主ベクトル画素セットの平均値との差を増加させるために調整済みの重心画素値を生成するよう構成された生成モジュールと；
前記調整済みの重心画素のすべてに基づいて調整済みのデジタル画像を生成するよう構成された画像生成モジュールと；
前記調整済みのデジタル画像を出力するよう構成された出力モジュールと；
を備えた、マシンにより実施される画像処理システム。
【請求項３５】
前記得点生成モジュールはさらに、
各々がその重心画素に関連する多数の近傍画素を通る方向に延びその重心画素で終結する複数の画素ベクトル線分（ベクトル）を各重心画素と関連付け；
特定の重心に関連する画素ベクトルのベクトル得点を、
・前記ベクトル中の画素の値の平均と、
・各画素の重み付けが、
前記重心画素からの前記画素の距離の関数と、
前記ベクトルの前記画素を横断する部分の長さの関数と、
前記ベクトルの前記画素を横断する部分の面積の関数と、
からなるグループから選択された少なくとも１つである、前記ベクトルが横断する前記画素の値の加重平均と、
からなるグループから選択された少なくとも１つを計算することにより決定し；
前記重心画素の値を関連するベクトルの得点と比較し；
前記重心画素の値を、
・前記重心画素と最も差のある得点を有する主ベクトルの得点と、
・他のいずれかのベクトルの得点と、
・ベクトル得点の任意の組み合わせと、
からなるグループから選択された少なくとも１つに基づいて調整するよう構成されている、請求項３４に記載のシステム。
【請求項３６】
前記ベクトル得点を決定するために、前記得点生成モジュールはさらに、任意の所与の重心画素に関連付けられたベクトルを、以下のものからなるグループから選択された少なくとも１つに基づいて選択するよう構成されている、請求項３４に記載のシステム。：
・８つの主要なコンパスポイント方向に限定される；
・合計で８つであり、等しい角度間隔を置いているが、前記コンパスポイント方向に限定されない；
・８以外の数であり、等しい角度間隔を置いている；
・任意の数であり任意の角度間隔である；
・画素単位ですべて同一の長さである；
・幾何学的にすべて同一の長さである；
・画素単位で２つ以上の異なる長さである；
・幾何学的に定義された２つ以上の異なる長さである；
・固定幅又は幅なしである；及び
・可変幅であり、前記幅は前記重心画素からの距離の関数である。
【請求項３７】
プログラム命令を記憶している非一時的なコンピュータ可読記憶媒体であって、プロセッサにより実行されたとき、前記プロセッサに、
各々が対応する当初の値を持つ画素の一群を有するデジタル画像を受信させ；
各画素を近傍画素に囲まれた重心画素として処理させ；
各重心画素の主ベクトル画素セットとベクトル得点とを決定させ；
所与の重心画素について対応するベクトル得点と調整関数とに基づいて、各所与の重心画素の当初の値と前記主ベクトル画素セットの平均値との差を増加させるために調整済みの重心画素値を生成させ；
すべて又は前記調整済みの重心画素値に基づいて調整済みのデジタル画像を生成させ；
前記調整済みのデジタル画像を出力させる、コンピュータ可読記憶媒体。
【請求項３８】
前記プログラム命令は、前記プロセッサに、
各々がその重心画素に関連する多数の近傍画素を通る方向に延びその重心画素で終結する複数の画素ベクトル線分（ベクトル）を各重心画素と関連付けさせ；
特定の重心に関連する画素ベクトルのベクトル得点を、
・前記ベクトル中の画素の値の平均と、
・各画素の重み付けが、
前記重心画素からの前記画素の距離の関数と、
前記画素を横断する前記ベクトルの部分の長さの関数と、
前記画素を横断する前記ベクトルの部分の面積の関数と、
からなるグループから選択された少なくとも１つである、前記ベクトルが横断する前記画素の値の加重平均と、
からなるグループから選択された少なくとも１つを計算することにより決定させ；
前記重心画素の値を関連するベクトルの得点と比較させ；
前記重心画素の値を、
・前記重心画素と最も差のある得点を有する主ベクトルの得点と、
・他のいずれかのベクトルの得点と、
・ベクトル得点の任意の組み合わせと、
からなるグループから選択された少なくとも１つに基づいて調整させる、コンピュータ可読コードをさらに備えている、請求項３７に記載のコンピュータ可読記憶媒体。
【請求項３９】
前記ベクトル得点を決定するために、前記プログラム命令は、前記プロセッサに、任意の所与の重心画素に関連付けられたベクトルを、以下のものからなるグループから選択された少なくとも１つに基づいて選択させる、コンピュータ可読コードをさらに備えている、請求項３７に記載のコンピュータ可読記憶媒体。：
・８つの主要なコンパスポイント方向に限定される；
・合計で８つであり、等しい角度間隔を置いているが、前記コンパスポイント方向に限定されない；
・８以外の数であり、等しい角度間隔を置いている；
・任意の数であり任意の角度間隔である；
・画素単位ですべて同一の長さである；
・幾何学的にすべて同一の長さである；
・画素単位で２つ以上の異なる長さである；
・幾何学的に定義された２つ以上の異なる長さである；
・固定幅又は幅なしである；及び
・可変幅であり、前記幅は前記重心画素からの距離の関数である。
【請求項４０】
前記重心画素の値を近傍画素の一群の各画素の値と比較し；
最も大きな値の近傍画素と前記重心画素とが差分ペアであるところ、最も大きな値の差を有する近傍画素を見出し；
前記最も大きな差を閾値と比較し；
前記差が前記閾値よりも大きい場合には前記差分ペア画素の値を調整することにより、前記差分ペアの差及び値の調整が決定される、請求項１に記載の方法。
【請求項４１】
前記近傍画素の一群は、前記重心画素の８個の第１近傍又は１６個の第２近傍からなる、請求項４０に記載の方法。
【請求項４２】
各有効画素の値が画素の一群の中の２個以上の画素の値の平均であるところ、前記重心画素の値を有効画素の値と比較し；
最も大きな値の有効画素と前記重心画素とが差分ペアであるところ、最も大きな値の差を有する前記有効画素を見出し；
前記最も大きな差を閾値と比較し；
前記差が前記閾値よりも大きい場合には前記差分ペア画素の値を調整することにより、前記差分ペアの差及び値の調整が決定される、請求項１に記載の方法。
【請求項４３】
前記得点生成モジュールはさらに、
前記重心画素の値を近傍画素の一群の各画素の値と比較し；
最も大きな値の近傍画素と前記重心画素とが差分ペアであるところ、最も大きな値の差を有する前記近傍画素を見出し；
前記最も大きな差を閾値と比較し；
前記差が前記閾値よりも大きい場合には前記差分ペア画素の値を調整することにより、前記差分ペアの差及び値の調整を決定するよう構成されている、請求項１１に記載のシステム。
【請求項４４】
前記近傍画素の一群は、前記重心画素の８個の第１近傍又は１６個の第２近傍からなる、請求項４３に記載のシステム。
【請求項４５】
前記得点生成モジュールはさらに、
各有効画素の値が画素の一群の中の２個以上の画素の値の平均であるところ、前記重心画素の値を有効画素の値と比較し；
最も大きな値の有効画素と前記重心画素とが差分ペアであるところ、最も大きな値の差を有する前記有効画素を見出し；
前記最も大きな差を閾値と比較し；
前記差が前記閾値よりも大きい場合には前記差分ペア画素の値を調整することにより、前記差分ペアの差及び値の調整を決定するよう構成されている、請求項１１に記載のシステム。
【請求項４６】
前記プログラム命令はさらに、前記プロセッサに、
前記重心画素の値を近傍画素の一群の各画素の値と比較し；
最も大きな値の近傍画素と前記重心画素とが差分ペアであるところ、最も大きな値の差を有する近傍画素を見出し；
前記最も大きな差を閾値と比較し；
前記差が前記閾値よりも大きい場合には前記差分ペア画素の値を調整することにより、前記差分ペアの差及び値の調整を決定させるコンピュータ可読コードを備えている、請求項２１に記載のコンピュータ可読記憶媒体。
【請求項４７】
前記近傍画素の一群は、前記重心画素の８個の第１近傍又は１６個の第２近傍からなる、請求項４６に記載のコンピュータ可読記憶媒体。
【請求項４８】
前記プログラム命令はさらに、前記プロセッサに、
各有効画素の値が画素の一群の中の２個以上の画素の値の平均であるところ、前記重心画素の値を有効画素の値と比較し；
最も大きな値の有効画素と前記重心画素とが差分ペアであるところ、最も大きな値の差を有する前記有効画素を見出し；
前記最も大きな差を閾値と比較し；
前記差が前記閾値よりも大きい場合には前記差分ペア画素の値を調整することにより、前記差分ペアの差及び値の調整を決定させるコンピュータ可読コードを備えている、請求項２１に記載のコンピュータ可読記憶媒体。
【手続補正２】
【補正対象書類名】明細書
【補正対象項目名】０１４３
【補正方法】変更
【補正の内容】
【０１４３】
[0173]  図１０Ｃは、どうすれば差分ペアに基づいて画素の値を調整することができるのかを示している。図１０Ｃの垂線は、画素に関連付けられ得る値の範囲｛０，１｝を示す。ここでは、割合調整は、調整されるべき値と１又は０との間の差の減少を表すものではなく、差分ペアの差分が増加される割合を表す。一方の画素の値のみを調整してその値と０又は１との間の差を縮小する代わりに、両方の画素の値が両者の間の差を増加するよう調整される。０．１５という差分ペア閾値例及び５０％という調整値を用いると、低い方の画素の値は０．２６に減少され、高い方の画素の値は０．４８に増加されるであろうから、差は０．１５から０．２２へと増加する。５０％の増加である。さらに、閾値が用いられ得る。例えば、この種の調整の対象となるためには、差分ペアは少なくとも０．１５の差を有さなければならない。
【手続補正３】
【補正対象書類名】明細書
【補正対象項目名】０１５０
【補正方法】変更
【補正の内容】
【０１５０】
[0180]  システム１２００は、受信モジュール１２０４と、得点生成モジュール１２０６と、画素値調整モジュール１２０８と、画像調整モジュール１２１０と、出力モジュール１２１２とを含む。出力モジュールは、例えば、記憶装置１２１４及び表示装置１２１６を含んでもよい。さらに、システムは、混合モジュール１２１８を含んでもよい。